(57)【要約】【課題】画素数の異なる多種類の表示パネルに適用することができ、ドライバＩＣとしてのコストを低減させることができる表示パネルの駆動装置を提供すること【解決手段】陽極ドライバ出力機能と陰極ドライバ出力機能とを切り換えることができる出力端子を備えた陽極／陰極ドライバ１３と、陰極ドライバ１２ａ，１２ｂとにより、表示パネル１１が表示駆動される。前記陽極／陰極ドライバ１３には、陽極ドライバ出力機能のみを持つ出力端子と、陽極ドライバ出力機能と陰極ドライバ出力機能とを切り換えることができる出力端子とが具備されているので、表示パネルの画素配列に応じて陽極および陰極ドライバの端子数を変更することができる。【選択図】図４
2008233443.tif 000002
【特許請求の範囲】
【請求項１】
陽極ドライバ出力機能と陰極ドライバ出力機能とを備え、前記陽極ドライバ出力機能と陰極ドライバ出力機能が切り換え可能に構成されていることを特徴とする表示パネルの駆動装置。
【請求項２】
陽極ドライバ出力機能のみを持つ出力端子と、陽極ドライバ出力機能と陰極ドライバ出力機能とを切り換えることができる出力端子とが具備されていることを特徴とする請求項１に記載された表示パネルの駆動装置。
【請求項３】
陽極ドライバ出力機能のみを持つ出力端子と、陰極ドライバ出力機能のみを持つ出力端子と、陽極ドライバ出力機能と陰極ドライバ出力機能とを切り換えることができる出力端子とが具備されていることを特徴とする請求項１に記載された表示パネルの駆動装置。
【請求項４】
前記陽極ドライバ出力機能と陰極ドライバ出力機能とを切り換えることができる出力端子の出力抵抗値は、前記陽極ドライバ出力機能のみを持つ出力端子の出力抵抗値と、陰極ドライバ出力機能のみを持つ出力端子の出力抵抗値のいずれか低い抵抗値と等しい関係に設定されていることを特徴とする請求項３に記載された表示パネルの駆動装置。
【請求項５】
陽極ドライバ出力機能と陰極ドライバ出力機能とを切り換えることができる出力端子を備える構成が、前記出力端子に対してそれぞれ一端が接続された第１スイッチング手段と、第２スイッチング手段を含み、陽極ドライバ出力機能として利用する場合および陰極ドライバ出力機能として利用する場合において、前記第１スイッチング手段の他端および第２スイッチング手段の他端に対して、それぞれ陽極ドライバおよび陰極ドライバとして動作する電圧源が切り換え供給されるように構成されていることを特徴とする請求項１ないし請求項３のいずれか１項に記載された表示パネルの駆動装置。
【請求項６】
陽極ドライバ出力機能と陰極ドライバ出力機能とを切り換えることができる出力端子を備える構成が、前記出力端子に対してそれぞれ一端が接続された第１スイッチング手段と、異なるオン抵抗を有する２つの素子を並列接続した第２スイッチング手段を含み、陽極ドライバ出力機能として利用する場合においては、前記第２スイッチング手段を構成する素子のうち、高いオン抵抗の素子を用い、陰極ドライバ出力機能として利用する場合においては、低いオン抵抗の素子を用いるように切り換えることを特徴とする請求項１ないし請求項３のいずれか１項に記載された表示パネルの駆動装置。
【請求項７】
陽極ドライバ出力機能と陰極ドライバ出力機能とを切り換えることができる出力端子を備える構成が、前記出力端子に対してそれぞれ一端が接続された第１スイッチング手段と、２つの素子を並列接続した第２スイッチング手段を含み、陽極ドライバ出力機能として利用する場合においては、前記第２スイッチング手段を構成する素子のうち一方の素子を用い、陰極ドライバ出力機能として利用する場合においては、前記第２スイッチング手段を構成する２つの素子を同時に用いるように切り換えることを特徴とする請求項１ないし請求項３のいずれか１項に記載された表示パネルの駆動装置。
【請求項８】
陽極ドライバ出力機能のみを持つ出力端子が並ぶエリアの両側に、陽極ドライバ出力機能と陰極ドライバ出力機能とを切り換えることができる出力端子を設けたことを特徴とする請求項２ないし請求項６のいずれか１項に記載された表示パネルの駆動装置。
【発明の詳細な説明】
【技術分野】
【０００１】
この発明は、例えば有機ＥＬ（エレクトロ・ルミネッセンス）素子を表示画素として用いた表示パネルの駆動装置に関する。
【背景技術】
【０００２】
携帯電話機や携帯型情報端末機（ＰＤＡ）などの普及によって、高精細な画像表示機能を有し、薄型かつ低消費電力化を実現することができる表示パネルの需要が増大しており、従来より液晶表示パネルがその要求を満たす表示パネルとして多くの製品に採用されてきた。一方、昨今においては自発光型素子であるという特質を生かした有機ＥＬ素子が実用化され、これが従来の液晶表示パネルに代わる次世代の表示パネルとして注目されている。これは素子の発光層に良好な発光特性を期待することができる有機化合物を使用することによって、実用に耐え得る高効率化および長寿命化が進んだことも背景にある。
【０００３】
前記した有機ＥＬ素子は、基本的にはガラス等の透明基板上に、例えばＩＴＯによる透明電極（陽極）と発光機能層、およびアルミ合金などによる金属電極（陰極）とが順次積層されることで構成されている。そして、前記発光機能層は有機化合物による単一の発光層、あるいは有機正孔輸送層と発光層による二層構造、または有機正孔輸送層と発光層および有機電子輸送層からなる三層構造、さらには前記透明電極と正孔輸送層との間に正孔注入層を、また前記金属電極と電子輸送層との間に電子注入層を挿入した多層構造になされる場合もある。そして、前記発光機能層において発生する光は、前記透明電極および透明基板を介して外部に導出される。
【０００４】
前記した有機ＥＬ素子は、電流・輝度特性が温度変化に対して安定しているのに対して、電圧・輝度特性が温度変化に対する依存性が高いこと、また、有機ＥＬ素子は過電流を受けた場合に劣化が激しく、発光寿命を短縮させるなどの理由により、一般的には定電流駆動がなされる。かかる有機ＥＬ素子を用いた表示パネルとして、素子をマトリクス状に配列したパッシブ駆動型表示パネルが、すでに一部において実用化されている。
【０００５】
図１には従来のパッシブマトリクス型表示パネルと、その駆動回路の一例が示されており、これは陰極線走査・陽極線ドライブの形態を示している。すなわち、ｍ本のデータ線（以下、これを陽極線とも言う。）Ａ１〜Ａｍが縦方向に配列され、ｎ本の走査線（以下、これを陰極線とも言う。）Ｋ１〜Ｋｎが横方向に配列され、各々の交差した部分（計ｍ×ｎ箇所）に、ダイオードおよびコンデンサのシンボルマークによる並列結合体で示した有機ＥＬ素子Ｅ１１〜Ｅｍｎが配置されて、表示パネル１を構成している。
【０００６】
そして、画素を構成する各ＥＬ素子Ｅ１１〜Ｅｍｎは、縦方向に沿う陽極線Ａ１〜Ａｍと横方向に沿う陰極線Ｋ１〜Ｋｎとの各交点位置に対応して、一端（ＥＬ素子の等価ダイオードにおけるアノード端子）が陽極線に、他端（ＥＬ素子の等価ダイオードにおけるカソード端子）が陰極線に接続されている。さらに、各陽極線Ａ１〜Ａｍはデータドライバとしての陽極ドライバ２に接続され、各陰極線Ｋ１〜Ｋｎは走査ドライバとして機能する陰極ドライバ３に接続されてそれぞれ駆動される。
【０００７】
前記陽極ドライバ２には、駆動電圧源ＶＡＨからの駆動電圧を利用して動作する定電流源Ｉ１〜Ｉｍ、およびドライブスイッチＳａ１〜Ｓａｍが備えられており、ドライブスイッチＳａ１〜Ｓａｍが、前記定電流源Ｉ１〜Ｉｍ側に接続されることにより、定電流源Ｉ１〜Ｉｍからの電流が、走査される陰極線に対応して配置された個々のＥＬ素子Ｅ１１〜Ｅｍｎに対して駆動電流として供給されるように作用する。
【０００８】
また、前記ドライブスイッチＳａ１〜Ｓａｍは、プリチャージ用電圧源ＶＡＭからの電圧、もしくは非点灯駆動電源ＶＡＬ（一般的にクランド電位ＧＮＤ）が、陰極線に対応して配置された個々のＥＬ素子Ｅ１１〜Ｅｍｎに対して供給することができるように構成されている。
【０００９】
一方、走査選択手段として機能する前記陰極ドライバ３には、各陰極線Ｋ１〜Ｋｎに対応して走査スイッチＳｋ１〜Ｓｋｎが備えられ、非走査選択電位として機能する主にクロストーク発光を防止するために用いられる逆バイアス電圧源ＶＫＨからの逆バイアス電圧、もしくは走査選択電位ＶＫＬ（一般的にクランド電位ＧＮＤ）のうちのいずれか一方を、対応する陰極線に供給することができるように構成されている。
【００１０】
そして、前記した陽極ドライブバ２および陰極ドライバ３には、図示せぬＣＰＵ等を含む発光制御回路よりコントロールバスを介してそれぞれに制御信号が供給され、表示すべき映像信号に基づいて、前記走査スイッチＳｋ１〜ＳｋｎおよびドライブスイッチＳａ１〜Ｓａｍの切り換え操作がなされる。これにより、映像信号に基づいて陰極線を所定の周期で走査選択電位ＶＫＬに設定しながら所望の陽極線に対して定電流源Ｉ１〜Ｉｍが接続され、前記各ＥＬ素子Ｅ１１〜Ｅｍｎが選択的に発光されることで、表示パネル１上に前記映像信号に基づく画像が表示される。
【００１１】
なお、図１に示す状態は、第１の陰極線Ｋ１が走査選択電位ＶＫＬに設定されて走査状態になされ、この時、非走査状態の各陰極線Ｋ２〜Ｋｎには、前記した非走査電圧源（逆バイアス電圧源）ＶＫＨからの逆バイアス電圧が印加される。ここで、走査発光状態におけるＥＬ素子の順方向電圧をＶｆとした時、〔（順方向電圧Ｖｆ）−（逆バイアス電圧ＶＫＨ）〕＜（素子の発光閾値電圧Ｖｔｈ）の関係となるように各電位設定がなされており、したがってドライブされている陽極線と走査選択がなされていない陰極線との交点に接続された各ＥＬ素子がクロストーク発光するのを防止するように作用する。
【００１２】
ところで、表示パネル１に配列された各有機ＥＬ素子は個々に寄生容量を有しており、これが陽極線と陰極線との交点位置にマトリクス状に配列されているがため、例えば１つの陽極線に数十個のＥＬ素子が接続されている場合を例にすると、当該陽極線から見て各寄生容量の数百倍もしくはそれ以上の合成容量が負荷容量として陽極線に接続されることになる。この合成容量はマトリクスのサイズが大きくなるにしたがって顕著に増大する。
【００１３】
したがって、ＥＬ素子の点灯走査期間の初めにおいては、陽極線を介した前記定電流源Ｉ１〜Ｉｍからの電流は前記した合成負荷容量を充電するために費やされ、ＥＬ素子の発光閾値電圧（Ｖｔｈ）を十分に超えるまでに前記負荷容量を充電するには時間的遅れが発生する。それ故、ＥＬ素子の発光の立ち上がりが遅れる（緩慢になる）という問題が発生する。特に、前記したようにＥＬ素子の駆動源として定電流源Ｉ１〜Ｉｍを用いた場合においては、定電流源は動作原理上、ハイインピーダンス出力回路であるがため、電流が制限されてＥＬ素子の発光立ち上がりの遅れが著しくなる。
【００１４】
これは、ＥＬ素子の点灯時間率を低下させることとなり、したがってＥＬ素子の実質的な発光輝度を低下させるという問題を抱えることになる。そこで、前記した寄生容量によるＥＬ素子の発光立ち上がりの遅れを無くすために図１に示す構成においては、逆バイアス電圧ＶＫＨを利用して点灯対象となるＥＬ素子の寄生容量に充電を実行する動作がなされる。
【００１５】
図２は、点灯対象となるＥＬ素子の寄生容量に充電されている電荷量がゼロになされるリセット期間を含むＥＬ素子の点灯駆動動作を示している。なお、図２（Ａ）は走査同期信号を示しており、この例においては前記走査同期信号に同期して、リセット期間および定電流駆動期間（ＣＣ）を含む走査期間が設定される。
【００１６】
そして、図２（Ｂ）および（Ｃ）は、前記各期間における陽極ドライバ２に接続された陽極線における点灯ラインおよび非点灯ラインに印加される電位を示している。また、図２（Ｄ）および（Ｅ）は、前記各期間における陰極ドライバ３に接続された陰極線における走査対象ラインおよび非走査対象ラインに印加される電位を示している。
【００１７】
図２に示すリセット期間においては、陽極ドライバ２に備えられた前記ドライブスイッチＳａ１〜Ｓａｍは、点灯制御させるＥＬ素子に対応する陽極線（点灯ライン）に対して、図２（Ｂ）に示すようにプリチャージ用電圧源ＶＡＭからの電位を供給する。また、非点灯になされるＥＬ素子に対応する陽極線（非点灯ライン）には、図２（Ｃ）に示すように非点灯駆動電源ＶＡＬを供給するように制御される。
【００１８】
一方、前記リセット期間における陰極ドライバ３は、これに備えられた走査スイッチＳｋ１〜Ｓｋｎによって、走査対象とする陰極線（走査対象ライン）および非走査とする陰極線（非走査対象ライン）に対して図２（Ｄ）および（Ｅ）に示すように、それぞれ逆バイアス電圧ＶＫＨを印加するようになされる。
【００１９】
また、ＥＬ素子の点灯期間である定電流駆動期間においては、前記ドライブスイッチＳａ１〜Ｓａｍによって、点灯させるＥＬ素子に対応する陽極線（点灯ライン）には、図２（Ｂ）に示すように定電流源Ｉ１〜Ｉｍより定電流が供給される。また、非点灯になされるＥＬ素子に対応する陽極線（非点灯ライン）には、図２（Ｃ）に示すように非点灯駆動電源ＶＡＬが設定される。
【００２０】
一方、前記定電流駆動期間における陰極ドライバ３は、これに備えられた前記走査スイッチＳｋ１〜Ｓｋｎによって、走査対象とする陰極線（走査対象ライン）を図２（Ｄ）に示すように走査選択電位ＶＫＬに設定し、非走査対象とする陰極線（非走査対象ライン）に対しては、図２（Ｅ）に示すように非走査選択電位である逆バイアス電圧ＶＫＨを印加するように制御される。
【００２１】
前記した構成において、逆バイアス電圧源ＶＫＨの電位と電圧源ＶＡＭの電位が、ＶＫＨ＝ＶＡＭの関係になされることにより、リセット期間においては前記点灯ラインに接続されている全てのＥＬ素子の寄生容量の充電量をゼロにすることができる。そして前記した定電流駆動期間への移行直後においては、点灯対象のＥＬ素子には逆バイアス電圧源ＶＫＨから、点灯対象となるＥＬ素子の寄生容量に対して非走査状態の陰極線に接続されたＥＬ素子の寄生容量を介して過渡的に電流が流れ込み、点灯対象となるＥＬ素子の寄生容量への充電が急速に行われる。この結果、点灯対象となるＥＬ素子の発光の立ち上がりは比較的迅速に行われる。
【００２２】
前記したように、点灯駆動させようとするＥＬ素子の寄生容量に対して、逆バイアス電圧ＶＫＨを利用して急速に充電させるパッシブ駆動型表示装置は、本件出願人がすでに出願した次に示す特許文献１などに開示されている。
【特許文献１】特許第３５０７２３９号公報
【発明の開示】
【発明が解決しようとする課題】
【００２３】
ところで、前記した構成のパッシブ駆動型表示装置においては、陽極ドライバおよび陰極ドライバを含むドライバＩＣが、表示パネルを含むモジュール全体におけるコストの多くを占めている。
【００２４】
一方、多様化する表示パネルの画素数への対応を考えた場合、「画素数ごとにＩＣを作成する」選択肢と、「最も大きな画素数に合わせたＩＣを作成し、いずれの表示パネルにもこれを利用する」選択肢を挙げることができる。前者の選択肢のように画素数に合ったＩＣをその都度作成した場合には、前記したように生産数が少ない製品に対してはＩＣの占めるコストが高騰する。また後者の選択肢を選んだ場合においては、余分な出力ピンだけＩＣとしてのコストが高くつくことになり、いずれにおいてもコストを低減させる余地は少ない。したがって、少量多品種の表示パネルモジュールにおいてドライバＩＣはさらに高価になる。
【００２５】
この発明は、前記した問題点に着目してなされたものであり、画素数の異なる多種類の表示パネルに適用することができ、ドライバＩＣとしてのコストを低減させることができる表示パネルの駆動装置を提供することを課題とするものである。
【課題を解決するための手段】
【００２６】
前記した課題を解決するためになされたこの発明にかかる駆動装置の好ましい基本形態は、請求項１に記載のとおり、陽極ドライバ出力機能と陰極ドライバ出力機能とを備え、前記陽極ドライバ出力機能と陰極ドライバ出力機能が切り換え可能に構成されている点に特徴を有する。
【発明を実施するための最良の形態】
【００２７】
以下、この発明にかかる表示パネルの駆動装置について、図に示す実施の形態に基づいて説明する。図３および図４は陽極線および陰極線に対応する画素数がそれぞれに異なる２種類の表示パネルに対して、この実施の形態にかかる駆動装置をそれぞれに適用した例を示すものである。
【００２８】
図３および図４において符号１１は、すでに説明した図１に示す例と同様の表示パネルを示しており、符号１２ａおよび１２ｂは陰極ドライバＡおよび陰極ドライバＢを示している。また符号１３は陽極ドライバ出力機能と陰極ドライバ出力機能とを切り換えることができる出力端子を含む陽極／陰極ドライバを示している。さらに符号１４は前記各ドライバ１２ａ，１２ｂ，１３に対してコントロールバスを介してそれぞれ制御信号を供給する発光制御回路を示している。
【００２９】
なお以下においては説明の便宜上、図３における表示パネル１１は陽極線が１２８本、陰極線が３２本、すなわち画素数が１２８×３２であり、図４における表示パネル１１は陽極線が９６本、陰極線が６４本、すなわち画素数が９６×６４である場合を例にしている。
【００３０】
先ず、図３に示す構成においては、陰極ドライバ１２ａおよび１２ｂは、その出力端子数がそれぞれ１６に設定されている。そして、表示パネル１１に配列された奇数番目と偶数番目の陰極線に対応して、それぞれ陰極ドライバ１２ａおよび１２ｂが走査を実行するように構成されている。すなわち、この図３に示す実施の形態においては、陰極ドライバ１２ａおよび１２ｂは、専ら陰極ドライバ出力機能のみを持つ出力端子を構成している。
【００３１】
また、陽極／陰極ドライバ１３は、図３に示す構成においては、表示パネル１１に配列された１２８本の陽極線をドライブするように構成している。すなわち、この例では陽極／陰極ドライバ１３の出力端子は、全て陽極線を駆動するようになされる。
【００３２】
一方、図４に示す構成においては、陰極ドライバ１２ａおよび１２ｂは、その出力端子数が変わらずにそれぞれ１６に設定されており、専ら陰極ドライバ出力機能のみを持つ出力端子を構成している。また陽極／陰極ドライバ１３は、図４に示す構成においては、表示パネル１１に配列された９６本の陽極線をドライブすると共に、前記陰極ドライバ１２ａおよび１２ｂでは不足する残りの３２本に対応する陰極線のドライブを実行するように構成している。
【００３３】
すなわち、図３および図４に示す陽極／陰極ドライバ１３は、前記した１２８×３２の画素数の表示パネルおよび９６×６４の画素数の表示パネルにそれぞれ対応するために、陽極ドライバの出力機能のみを持つ９６本の出力端子と、陽極ドライバの出力機能と陰極ドライバの出力機能とを切り換えることができる３２本の出力端子が備えられている。
【００３４】
そして、図４に示されているように陽極／陰極ドライバ１３には、９６本の陽極ドライバ出力機能のみを持つ出力端子が並ぶエリアの両側に、陽極ドライバ出力機能と陰極ドライバ出力機能とを切り換えることができる出力端子が各１６本配列された構成にされている。
【００３５】
前記のように陽極／陰極ドライバ１３において、陽極ドライバの出力機能のみを持つ出力端子と、陽極ドライバ出力機能と陰極ドライバ出力機能とを切り換えることができる出力端子を持たせることにより、図３および図４に示すいずれの表示パネルに対する駆動装置として利用しても、無効となる端子数を少なくすることができる。
【００３６】
図５は前記した陰極ドライバ１２ａおよび１２ｂにおける走査スイッチの構成、すなわち専ら陰極ドライバ出力機能のみの端子を有する回路構成を示している。なお、以下に説明する各図においては、すでに説明した図１および図２に示された各電圧源の符号と同一の符号を用いて各電圧源からの電圧の印加状態を示している。図５におけるＱ１は、スイッチング手段を構成するｐチャンネル型ＭＯＳＦＥＴであり、そのドレインは各陰極線に接続される出力端子Ｋｏｕｔに接続され、またそのソースには非走査選択電位としての逆バイアス電圧源ＶＫＨからの電圧が供給される。
【００３７】
図５におけるＱ２は、スイッチング手段を構成するｎチャンネル型ＭＯＳＦＥＴであり、そのドレインは前記Ｑ１と共に各陰極線に接続される出力端子Ｋｏｕｔに接続されている。またそのソースには走査選択電位ＶＫＬが供給されるようになされる。そして、前記各素子Ｑ１，Ｑ２のゲートには前記発光制御回路１４に具備された陰極端子制御回路より制御信号が供給され、出力端子Ｋｏｕｔより図２に示したようにＶＫＨまたはＶＫＬが出力される。
【００３８】
前記した構成の走査スイッチにおいて、出力端子Ｋｏｕｔを走査選択電位ＶＫＬに接続する素子Ｑ２は、そのオン抵抗（Ｒ２）が例えば１０Ω程度の低い値となるように設定される。これにより陰極線に流れる比較的大きな電流により、素子Ｑ２内に大きな電圧降下が生ずるのが抑制されるようにしている。
【００３９】
図６は前記した陽極／陰極ドライバ１３において具備される出力回路の基本構成例を示すものである。ここで、陽極／陰極ドライバ１３においては、図４に示したように専ら陽極線のみをドライブする出力端子と、陽極ドライバ出力機能と陰極ドライバ出力機能とを切り換えて使用する出力端子とが存在する。
【００４０】
先ず、専ら陽極線のみをドライブする機能を備える出力回路について説明する。この出力回路には図６にＱ３で示す第１スイッチング手段を構成するｐチャンネル型ＭＯＳＦＥＴと、Ｑ４で示す第２スイッチング手段を構成するｎチャンネル型ＭＯＳＦＥＴとが備えられる。そして、素子Ｑ３とＱ４の各ドレインが接続されて、これが出力端子Ａｏｕｔになされる。また素子Ｑ３のソースにはプリチャージ用電源ＶＡＭが印加され、素子Ｑ４のソースは非点灯駆動電源ＶＡＬに接続されている。
【００４１】
さらに、Ｑ５で示すｐチャンネル型ＭＯＳＦＥＴのドレインが出力端子Ａｏｕｔに接続され、素子Ｑ５のソースには駆動電圧源ＶＡＨからの駆動電圧を利用して動作する定電流源Ｉ１からの電流が供給されるように構成されている。そして、前記各素子Ｑ３，Ｑ４，Ｑ５のゲートには前記発光制御回路１４に具備された陽極／陰極端子制御回路より制御信号が供給され、出力端子Ａｏｕｔからは、図２に示したようにＶＡＭまたはＶＡＬもしくは定電流源Ｉ１からの定電流が供給される。
【００４２】
この場合、専ら陽極線のみをドライブする出力端子Ａｏｕｔを備える出力回路については、ｎチャンネル型ＦＥＴによる素子Ｑ４のオン抵抗（Ｒ４）は、望ましくは数百Ω程度の値に設定される。これは、素子Ｑ４のオン抵抗（Ｒ４）が前記数百Ω程度よりもさらに大きい場合には、素子Ｑ４内の電圧降下が大きくなり、表示不良等の不具合を生じてしまう。一方、素子のオン抵抗をより小さくするには素子の形状を大きくする必要があり、結果的にＩＣのコストを高くしてしまう。素子Ｑ４内の電圧降下とＩＣのコストの両面より、経験的に素子Ｑ４のオン抵抗（Ｒ４）は、望ましくは数百Ω程度の値に設定される。
【００４３】
一方、陽極ドライバ出力機能と陰極ドライバ出力機能とを切り換えて使用する出力回路においても、基本的には図６に示した構成を採用することができる。この場合、ｎチャンネル型ＦＥＴにより構成される素子Ｑ４は、陰極ドライバ出力機能として動作させた場合の素子Ｑ４内において発生する大きな電圧降下を避けるために、すでに説明した図５に示した素子Ｑ２のオン抵抗にほぼ等しいオン抵抗を備えた素子を用いることが望ましい。なお、図６に示した構成において陰極ドライバ出力機能として用いる場合には、素子Ｑ５は常に開放状態に設定される。
【００４４】
図７は、陽極ドライバ出力機能と陰極ドライバ出力機能とを切り換えて使用する出力回路の他の好ましい構成例を示したものである。この図７に示す例において、第１スイッチング手段を構成する素子Ｑ３、第２スイッチング手段を構成する素子Ｑ４、および定電流源Ｉ１からの定電流を出力端子に供給する素子Ｑ５の組み合わせは、図６に示した構成と同一である。
【００４５】
図７に示す構成は、これに加えて素子Ｑ３のソースに第１切り換えスイッチＳ１が接続され、また素子Ｑ４のソースに第２切り換えスイッチＳ２が接続されている。そして、陽極ドライバ出力機能として使用する場合においては、制御回路によってスイッチＳ１，Ｓ２をそれぞれＶＡＭおよびＶＡＬ側に切り換えるようになされる。これにより陽極ドライバとして動作する電圧源からの動作電圧が供給される。
【００４６】
また、陰極ドライバ出力機能として使用する場合においては、制御回路によってスイッチＳ１，Ｓ２をそれぞれＶＫＨおよびＶＫＬ側に切り換えるようになされる。これにより陰極ドライバとして動作する電圧源からの動作電圧が供給される。なお図７に示した構成においても陰極ドライバ出力機能として用いる場合には、素子Ｑ５は常に開放状態に設定される。
【００４７】
図８は、陽極ドライバ出力機能と陰極ドライバ出力機能とを切り換えて使用する出力回路の他の好ましい構成例を示したものである。図８に示す構成においては図６に示した第２スイッチング手段として機能する素子Ｑ４に代えて、共にｎチャンネル型ＭＯＳＦＥＴによる素子Ｑ６，Ｑ７を並列接続した構成にされている。
【００４８】
そして、一方の素子Ｑ６のオン抵抗は前記した素子Ｑ４のオン抵抗（Ｒ４）、すなわち数百Ω程度の値に設定されている。また他方の素子Ｑ７のオン抵抗は前記した素子Ｑ２のオン抵抗（Ｒ２）、すなわち１０Ω程度の低い値に設定されている。
【００４９】
図８に示す回路を陽極ドライバ出力機能として使用する場合には、素子Ｑ６をオン／オフ動作させ、素子Ｑ７をオフ状態にすることで、良好な陽極ドライバ出力機能を果たすことができる。また図８に示す回路を陰極ドライバ出力機能として使用する場合には、素子Ｑ７をオン／オフ動作させ、素子Ｑ６をオフ状態にすることで、良好な陰極ドライバ出力機能を果たすことができる。
【００５０】
図９は、陽極ドライバ出力機能と陰極ドライバ出力機能とを切り換えて使用する出力回路の他の好ましい構成例を示したものである。図９に示す構成においては図６に示した第２スイッチング手段として機能する素子Ｑ４に代えて、共にｎチャンネル型ＭＯＳＦＥＴによる素子Ｑ８，Ｑ９を並列接続した構成にされている。
【００５１】
そして、一方の素子Ｑ８のオン抵抗は前記した素子Ｑ４のオン抵抗（Ｒ４）、すなわち数百Ω程度の値に設定されている。また他方の素子Ｑ９のオン抵抗と前記素子Ｑ８のオン抵抗の並列接続による合成抵抗値は、前記した素子Ｑ２のオン抵抗（Ｒ２）、すなわち１０Ω程度の低い値になされる。
【００５２】
したがって、図９に示す回路を陽極ドライバ出力機能として使用する場合には、素子Ｑ８をオン／オフ動作させ、素子Ｑ９をオフ状態にすることで、好ましい陽極ドライバ出力機能を果たすことができる。また図９に示す回路を陰極ドライバ出力機能として使用する場合には、素子Ｑ８および素子Ｑ９を同時にオン／オフ動作させることで、好ましい陰極ドライバ出力機能を果たすことができる。
【００５３】
陽極ドライバ出力機能と陰極ドライバ出力機能とを切り換えて使用する出力回路において、陽極ドライバ出力機能および陰極ドライバ出力機能として使用する場合に、専ら陽極線のみをドライブする機能を備える出力回路および専ら陰極線のみをドライブする機能を備える出力回路と出力抵抗を等しくすることにより、陽極ドライバ出力機能と陰極ドライバ出力機能とを切り換えて使用する出力回路と、専ら陽極線のみをドライブする機能を備える出力回路および専ら陰極線のみをドライブする機能を備える出力回路との境目に生じる表示状の段差を無くすことができる。
【図面の簡単な説明】
【００５４】
【図１】従来のパッシブマトリクス型表示パネルとその駆動回路の一例を示した回路構成図である。
【図２】図１に示した表示パネルにおける点灯駆動動作を説明するタイミングチャートである。
【図３】この発明にかかる駆動回路の適用例を示したブロック図である。
【図４】画素配列が異なる表示パネルに対するこの発明にかかる駆動回路の適用例を示したブロック図である。
【図５】陰極ドライバにおける出力回路構成を示す結線図である。
【図６】陽極および陰極ドライバに切り換え可能な出力回路構成の第１の例を示す結線図である。
【図７】同じく第２の例を示す結線図である。
【図８】同じく第３の例を示す結線図である。
【図９】同じく第４の例を示す結線図である。
【符号の説明】
【００５５】
１１            表示パネル
１２ａ，１２ｂ  陰極ドライバ
１３            陽極ドライバ
１４            発光制御回路
Ｑ１〜Ｑ９      スイッチング素子
【図１】
2008233443.tif 000003
【図２】
2008233443.tif 000004
【図３】
2008233443.tif 000005
【図４】
2008233443.tif 000006
【図５】
2008233443.tif 000007
【図６】
2008233443.tif 000008
【図７】
2008233443.tif 000009
【図８】
2008233443.tif 000010
【図９】
2008233443.tif 000011